【手続補正書】
【提出日】平成24年12月3日(2012.12.3)
【手続補正１】
【補正対象書類名】特許請求の範囲
【補正対象項目名】全文
【補正方法】変更
【補正の内容】
【特許請求の範囲】
【請求項１】
ロックされた携帯端末のディスプレイから使用可能な通知をカスタマイズするためのシステムであって、
携帯端末がロックされている間に、前記携帯端末によって受信された１つまたは複数の通知を記憶するためのメモリ領域であって、前記メモリ領域は、構成データをさらに記憶し、前記構成データは、前記ロックされた携帯端末のディスプレイを通じてユーザーに提示するための通知を記述し、前記構成データはさらに、前記通知のうちの１つまたは複数に関連付けられたアプリケーションプログラムの機能のサブセットを定義し、前記機能のサブセットは、前記携帯端末がロックされている間に前記ユーザーに使用可能であり、前記構成データはさらに、キーワードを識別する、メモリ領域と、
プロセッサーと、を含み、
前記プロセッサーは、
前記携帯端末の前記ユーザーから前記構成データを受信するステップと、
前記メモリ領域に記憶された前記通知のうちの１つまたは複数にアクセスするステップと、
前記メモリ領域に記憶された前記構成データに基づいて、前記アクセスされた通知のうちの１つまたは複数を改変するステップであって、前記改変は、前記携帯端末をロック解除せずに使用可能なアプリケーションプログラムの限定された機能を指定する構成データにおいて識別されるキーワードに基づいて、前記アクセスされた通知をフィルターにかけることによって行われる、ステップと、
前記ロックされた携帯端末の前記ディスプレイを通じて前記ユーザーに前記改変された通知を提示するステップと、
前記携帯端末がロックされている間に、前記ディスプレイから前記アプリケーションプログラムの前記機能のサブセットを有効にするステップであって、それにより、前記ユーザーが、前記携帯端末がロックされたままである間に前記機能のサブセットのうちの少なくとも１つを実行するように、前記提示され改変された通知を介して前記アプリケーションプログラムと対話する、ステップと、
前記改変された通知との少なくとも１つのユーザーの対話に応答して、前記アプリケーションプログラムに完全にアクセスするためのロック解除画面へ前記ユーザーを誘導するステップと、
を実行するようにプログラムされた、
システム。
【請求項２】
前記構成データが、前記通知の特徴を記述する、請求項１に記載のシステム。
【請求項３】
前記通知が、電子メールメッセージ、ボイスメールメッセージ、テキストメッセージ、および不在電話着信のうちの１つまたは複数に関する、請求項１に記載のシステム。
【請求項４】
前記プロセッサーが、
前記構成データに基づいて前記アクセスされた通知をフィルターにかけることによって、前記アクセスされた通知のそれぞれを分析し、
前記フィルターにかけられた通知のみを提示することによって、前記アクセスされた通知のうちの前記１つまたは複数を提示するように
プログラムされた、請求項１に記載のシステム。
【請求項５】
前記ロックされた携帯端末の前記ディスプレイを通じて前記ユーザーにコンテンツを選択的に提示するための手段と、
アプリケーションプログラムごとに、前記ロックされた携帯端末の前記ディスプレイを通じた前記ユーザーへの前記コンテンツの提示をカスタマイズするための手段と
をさらに含む、請求項１に記載のシステム。
【請求項６】
ロックされたコンピューティングデバイスのディスプレイを通じてユーザーに提示するためのコンテンツを記述するユーザー定義された構成データにアクセスするステップであって、前記構成データはさらに、前記コンテンツに関連付けられた１つまたは複数のアプリケーションプログラムの機能のサブセットを定義し、前記機能のサブセットは、前記ロックされたコンピューティングデバイスのディスプレイを通じて前記ユーザーに使用可能であり、前記構成データはさらに、キーワードを識別する、ステップと、
前記コンピューティングデバイスがロックされている間に、１つまたは複数のコンテンツ項目を前記コンピューティングデバイスによって受信するステップと、
前記定義された構成データに基づいて、前記受信されたコンテンツ項目のうちの１つまたは複数を変換するステップであって、前記変換するステップは、前記コンピューティングデバイスをロック解除せずに使用可能な１つまたは複数のアプリケーションプログラムの限定された機能を指定する構成データにおいて識別されるキーワードに基づいて、前記受信されたコンテンツ項目をフィルターにかけるステップを含む、ステップと、
前記ロックされたコンピューティングデバイスの前記ディスプレイを通じて前記ユーザーに提示するための前記変換されたコンテンツ項目を提供するステップと、
前記ロックされたコンピューティングデバイスのディスプレイを通じて使用可能なアプリケーションプログラムの前記機能のサブセットを有効にするステップであって、それにより、前記ユーザーが、前記コンピューティングデバイスがロックされたままである間に前記機能のサブセットのうちの少なくとも１つを実行するように、前記提供され変換されたコンテンツ項目を介して前記アプリケーションプログラムのうちの１つまたは複数と対話する、ステップと、
を含む方法。
【請求項７】
前記提供されたコンテンツ項目のうちの１つの選択を前記ユーザーから受信するステップと、
前記受信された選択に応答して、前記ロックされたコンピューティングデバイスをロック解除し前記コンテンツ項目のうちの選択された１つに関連付けられた前記アプリケーションプログラムを実行する前に、前記ユーザーをロック解除画面へ誘導するステップと
をさらに含む、請求項６に記載の方法。
【請求項８】
前記ロックされたコンピューティングデバイスをロック解除するために、前記ユーザーからコマンドを受信するステップをさらに含む、請求項７に記載の方法。
【請求項９】
前記コンピューティングデバイス上で使用可能な１つまたは複数のアプリケーションプログラムの表示を、前記ロックされたコンピューティングデバイスの前記ディスプレイを通じて提供するステップであって、前記表示がツールバーとして提供されるステップをさらに含む、請求項６に記載の方法。
【請求項１０】
前記提供された表示のうちの１つの選択を前記ユーザーから受信するステップと、
前記受信された選択に応答して、前記ロックされたコンピューティングデバイスをロック解除して、前記コンテンツ項目のうちの前記選択された１つに関連付けられた前記アプリケーションプログラムを実行するステップと
をさらに含む、請求項９に記載の方法。
【請求項１１】
前記ユーザー定義された構成データにアクセスするステップが、前記コンテンツ項目に関連付けられたアプリケーション、前記コンテンツ項目に関連付けられた通知のタイプ、および前記コンテンツ項目に関連付けられた通知のカテゴリのうちの１つまたは複数を識別するステップを含む、請求項６に記載の方法。
【請求項１２】
前記アクセスするステップ、前記受信するステップ、前記変換するステップ、および前記提供するステップが、クラウドサービスによって実行され、前記変換されたコンテンツ項目を提供するステップが、前記変換されたコンテンツ項目を、前記ユーザーへのディスプレイのために、前記クラウドサービスから前記コンピューティングデバイスに送信するステップを含む、請求項６に記載の方法。
【請求項１３】
前記受信されたコンテンツ項目が、それに関連付けられた１つまたは複数のデータフィールドを有し、前記受信されたコンテンツ項目を変換するステップが、前記定義された構成データに基づいて、前記データフィールドのうちの１つまたは複数を選択するステップを含み、前記変換されたコンテンツ項目を提供するステップが、前記選択されたデータフィールドを提供するステップを含む、請求項６に記載の方法。
【請求項１４】
１つまたは複数のコンピューター読取り可能なメディアが、コンピューター実行可能なコンポーネントを有し、前記コンポーネントが、
ロックされたコンピューティングデバイスのディスプレイを通じてユーザーに提示するためのコンテンツを記述する構成データを前記ユーザーから受信するためのプロファイル・コンポーネントであって、前記構成データはさらに、前記コンテンツに関連付けられたアプリケーションプログラムの機能のサブセットを定義し、前記機能のサブセットは、前記ロックされたコンピューティングデバイスのディスプレイを通じて前記ユーザーに使用可能であり、前記アプリケーションプログラムは、前記コンピューティングデバイス上で実行され、前記プロファイル・コンポーネントが、前記アプリケーションプログラムに関連付けられたデータ構造に、前記受信された構成データを記憶し、前記構成データはさらに、キーワードを識別する、プロファイル・コンポーネントと、
前記コンピューティングデバイスがロックされている間に、１つまたは複数のコンテンツ項目を受信するためのインターフェイス・コンポーネントと、
前記プロファイル・コンポーネントによって受信され、前記データ構造に記憶された前記構成データに基づいて、前記インターフェイス・コンポーネントによって受信された前記コンテンツ項目を変更するためのフィルター・コンポーネントであって、前記変更は、前記コンピューティングデバイスをロック解除せずに使用可能なアプリケーションプログラムの限定された機能を指定する構成データにおいて識別されるキーワードに基づいて、前記コンテンツ項目をフィルターにかけ、前記インターフェイス・コンポーネントが、前記ロックされたコンピューティングデバイスの前記ディスプレイを通じて前記ユーザーに前記変更されたコンテンツ項目を提供し、前記フィルター・コンポーネントは、前記ユーザーが、前記携帯端末がロックされたままである間に前記構成データによって定義される機能のサブセットのうちの少なくとも１つを実行するように、前記提供されたコンテンツ項目と対話するのを可能とする、フィルター・コンポーネントと
を含む、請求項７に記載の方法。